(57)【要約】      （修正有）【課題】被切削体をＣＡＭに設置する場合に、被切削体の切削されていない部分で歯科修復物を切削加工できる様に設置する。【解決手段】ＣＡＤＣＡＭ装置に装着して歯科修復物を製造する歯科用ＣＡＤＣＡＭ用被切削体１において、歯科用ＣＡＤＣＡＭ用被切削体が略円柱形状であり、歯科用ＣＡＤＣＡＭ用被切削体の円周部に少なくとも一つの凹部２を有し、凹部は歯科用ＣＡＤＣＡＭ用被切削体の全周に亘っておらない部分４があり、ＣＡＤＣＡＭ装置に歯科用ＣＡＤＣＡＭ用被切削体を装着時に凹部が係合することを特徴とする歯科用ＣＡＤＣＡＭ用被切削体である。【選択図】図１
2018015365.tif 000002
【特許請求の範囲】
【請求項１】
ＣＡＤＣＡＭ装置に装着して歯科修復物を製造する歯科用ＣＡＤＣＡＭ用被切削体において、歯科用ＣＡＤＣＡＭ用被切削体が略円柱形状であり、
歯科用ＣＡＤＣＡＭ用被切削体の円周部に少なくとも一つの凹部を有し、凹部は歯科用ＣＡＤＣＡＭ用被切削体の全周に亘っておらず、
歯科用ＣＡＤＣＡＭ用被切削体の凹部がＣＡＤＣＡＭ装置に係合することを特徴とする歯科用ＣＡＤＣＡＭ用被切削体。
【請求項２】
請求項１記載の歯科用ＣＡＤＣＡＭ用被切削体において、円周部の凹部が略円柱形状の330度以上360度未満に亘って形成され、円周部の凹部が形成されていない略円柱形状の円弧は1-30ｍｍであることを特徴とする歯科用ＣＡＤＣＡＭ用被切削体。
【請求項３】
請求項１記載の歯科用ＣＡＤＣＡＭ用被切削体において、円周部の凹部が軸方向に1-5ｍｍの幅で形成され、円周方向から軸に向けて1-5ｍｍの幅で形成されていることを特徴とする歯科用ＣＡＤＣＡＭ用被切削体。
【請求項４】
請求項１記載の歯科用ＣＡＤＣＡＭ用被切削体において、略円柱形状の直径が5-15ｃｍ、高さが0.7-2ｃｍであることを特徴とする歯科用ＣＡＤＣＡＭ用被切削体。
【請求項５】
請求項１記載の歯科用ＣＡＤＣＡＭ用被切削体が、焼結されていない或いは最終焼結されていないセラミック材料であることを特徴とする歯科用ＣＡＤＣＡＭ用被切削体。
【請求項６】
請求項５記載の歯科用ＣＡＤＣＡＭ用被切削体が、アルミナまたはジルコニアの成分が95％以上含まれているセラミック材料であることを特徴とする歯科用ＣＡＤＣＡＭ用被切削体。
【請求項７】
請求項５記載の歯科用ＣＡＤＣＡＭ用被切削体が、1次平均粒子径は0.01〜10μｍのセラミック材料であることを特徴とする歯科用ＣＡＤＣＡＭ用被切削体。
【発明の詳細な説明】
【技術分野】
【０００１】
本発明は、歯科修復物を製造する歯科用ＣＡＤＣＡＭ用被切削体に関する。
【背景技術】
【０００２】
歯科分野において、ＣＡＤＣＡＭ技術を用いて、被切削体を削り出して歯科修復物を製造する方法が知られている。近年、このＣＡＤＣＡＭ技術を用いて、被切削体から複数の歯科修復物を切削されるようになった。
また、歯科修復物を切削した被切削体の残った部分で、新たに歯科修復物を切削するようになった。しかし、ＣＡＤソフト上では、被切削体の切削されていない部分で歯科修復物を切削加工できる様に、既に切削された部分を避けて設計できる。しかし、被切削体をＣＡＭに設置する場合に、方向が分からない為に、被切削体の切削されていない部分で歯科修復物を切削加工できる様に、容易に設置することができなかった。
【０００３】
特許文献１には、円周状に溝が設けられた円柱形状の被切削体が開示されている。しかし、被切削体をＣＡＭに設置する場合に、方向が分からない為に、被切削体の切削されていない部分で歯科修復物を切削加工できる様に容易に設置することができなかった。
【先行技術文献】
【特許文献】
【０００４】
【特許文献１】特開2012-5874
【発明の概要】
【発明が解決しようとする課題】
【０００５】
被切削体をＣＡＭに設置する場合に、方向が分からない為に、被切削体の切削されていない部分で歯科修復物を切削加工できる様に容易に設置することができなかった。
【課題を解決するための手段】
【０００６】
本発明は、ＣＡＤＣＡＭ装置に装着して歯科修復物を製造する歯科用ＣＡＤＣＡＭ用被切削体において、歯科用ＣＡＤＣＡＭ用被切削体が略円柱形状であり、歯科用ＣＡＤＣＡＭ用被切削体の円周部に少なくとも一つの凹部を有し、凹部は歯科用ＣＡＤＣＡＭ用被切削体の全周に亘っておらず、歯科用ＣＡＤＣＡＭ用被切削体の凹部がＣＡＤＣＡＭ装置に係合することを特徴とする歯科用ＣＡＤＣＡＭ用被切削体である。
【０００７】
本発明は、円周部の凹部が略円柱形状の330度以上360度未満に亘って形成され、円周部の凹部が形成されていない略円柱形状の円弧は1-20ｍｍであることを特徴とする歯科用ＣＡＤＣＡＭ用被切削体である。
本発明は、円周部の凹部が軸方向から1-5ｍｍの幅で形成され、円周方向から軸に向けて1-5ｍｍの幅で形成されていることを特徴とする歯科用ＣＡＤＣＡＭ用被切削体である。
本発明は、略円柱形状の直径が5-15ｃｍ、高さが0.7-3.0ｃｍであることを特徴とする歯科用ＣＡＤＣＡＭ用被切削体である。
【０００８】
本発明は、焼結されていない或いは最終焼結されていないセラミック材料であることを特徴とする歯科用ＣＡＤＣＡＭ用被切削体である。
本発明は、セラミック材料が、アルミナまたはジルコニアの成分が95％以上含まれていることを特徴とする歯科用ＣＡＤＣＡＭ用被切削体である。
本発明は、セラミック材料の1次平均粒子径は0.01〜10μｍであることを特徴とする歯科用ＣＡＤＣＡＭ用被切削体である。
【発明の効果】
【０００９】
歯科用ＣＡＤＣＡＭ用被切削体をＣＡＭに設置する場合に、方向が分かるようにすることで、被切削体の切削されていない部分で歯科修復物を切削加工できる様に設置することができる。
【発明を実施するための形態】
【００１０】
本発明の歯科用ＣＡＤＣＡＭ用被切削体の素材は特に限定されることがなく、樹脂材料、無機材料、複合材料などのいずれにおいても用いることができる。樹脂材料としてはアクリル系樹脂材料が好ましく、無機材料としてはセラミックス材料であり、具体的にはアルミノシリケートガラス、ジルコニア、アルミナが好ましく、複合材料はアクリル系樹脂材料に無機粉末を混合した材料を好ましく用いることができる。
好ましい歯科用ＣＡＤＣＡＭ用被切削体の素材は、セラミック材料である。セラミック材料は、アルミナまたはジルコニアの成分が95％以上であり、セラミック材料の1次平均粒子径は0.01〜10μｍであることが好ましい。
【００１１】
本発明の歯科用ＣＡＤＣＡＭ用被切削体はＣＡＤＣＡＭ技術を用いて歯科修復物を彫りだすための成型体であって、材料を型に入れ、加圧することで成型を行い、加熱することで硬化又は仮焼成させることで得られるものである。歯科用ＣＡＤＣＡＭ用被切削体は略円柱形状の直径が5-15ｃｍ、高さが0.7-3.0ｃｍの被切削体などである。
本発明の歯科用ＣＡＤＣＡＭ用被切削体は色調の異なる層を重ね合わせて成型加工することにより製造することができ、１〜８層構造にすることができる。その中でも、少なくともエナメル色、デンチン色、歯頚部色の３層で構成されていることが好ましい。
【００１２】
本発明の歯科用ＣＡＤＣＡＭ用被切削体に設けた円周部の凹部が330度以上に亘って形成され、330度以下であれば、歯科用ＣＡＤＣＡＭ用被切削体を設置するＣＡＭの部分と歯科用ＣＡＤＣＡＭ用被切削体との接触する部分が減り、接触部分への負担が増大することで、安定した固定を阻害することがある。330度以上に亘って形成された被切削体に設けた円周部の凹部が連続して形成されていることが好ましい。
略円柱形状の凹部が形成されていない円弧は1-20ｍｍである。略円柱形状の凹部が形成されていない円弧は1ｍｍ以下であれば、略円柱形状の凹部が形成されていない略円柱形状の円弧は破損しやすくなる。略円柱形状の凹部が形成されていない円弧が20ｍｍ以上であれば、凹部が形成されていない略円柱形状の円弧での位置関係が判別しづらくなり、ＣＡＭとの接する部分が減り、安定した固定を阻害するばかりか、略円柱形状の凹部が破損し易くなる。
【００１３】
円周部の凹部が軸方向に1-5ｍｍであり、円周方向から軸に向けて1-5ｍｍでありこの範囲を超えるとＣＡＭ装置への安定した装着を阻害することがある。
円周部の凹部の形状は、歯科用ＣＡＤＣＡＭ用被切削体を中心軸に沿って切断した場合に、「Ｌ」字形の凹部である。凹部が有するところであれば、歯科用ＣＡＤＣＡＭ用被切削体を中心軸に沿っていずれの方向に切断しても「Ｌ」字形であることが好ましい。「Ｌ」字形の形状は中心軸に平行な面と中心軸に垂直な面で構成されていることが好ましい。ＣＡＭ装置への安定した装着が可能となり、緩みなく係合することができる。
【００１４】
次に図面について説明する。
図１は本発明の歯科用ＣＡＤＣＡＭ用被切削体１を示し、略円柱の天面もしくは底面方向から見た図面である。円周部に凹部２を有し、凹部は全周に亘っておらず、図の上方には凹部を有しない部分４が示されている。
図２は本発明の歯科用ＣＡＤＣＡＭ用被切削体を示し、略円柱の側面方向から見た図面である。円周部に凹部２、３が２箇所示されている。図１では示せなかった裏側の凹部３が見える。凹部は全周に亘っておらず、図の中心部で切れている。中央に凹部を有しない部分４が示されている。
図３は図１の図面に補助線などを加えた図である。「円周部の凹部が形成されていない略円柱形状の円弧は1-20ｍｍとする。」「円周方向から軸に向けて1-5ｍｍとする。」「略円柱形状の直径が5-15ｃｍとする。」「円周部の凹部が330度以上に亘って形成する。」の具体的な位置を示した。
【００１５】
図４は図２の図面に補助線などを加えた図である。「円周方向から軸に向けて1-5ｍｍとする。」「円周部の凹部が形成されていない略円柱形状の円弧は1-20ｍｍとする。」「略円柱形状の直径が5-15ｃｍとする。」「凹部が軸方向に1-5ｍｍとする。」の具体的な位置を示した。
図５は従来の歯科用ＣＡＤＣＡＭ用被切削体を示し、略円柱の天面もしくは底面方向から見た図面である。従来の歯科用ＣＡＤＣＡＭ用被切削体には円周部に凹部を有し、凹部は全周に亘って有することが分かる。
図６は従来の歯科用ＣＡＤＣＡＭ用被切削体を示し、略円柱の側面方向から見た図面である。従来の歯科用ＣＡＤＣＡＭ用被切削体には円周部に凹部が２箇所示され、凹部は全周に亘って有することが分かる。
【産業上の利用可能性】
【００１６】
本発明の歯科用ＣＡＤＣＡＭ被切削体は具体的には歯科分野においてＣＡＤＣＡＭ技術を用いた切削加工により歯科修復物を作製するディスクに利用することができる。
【図面の簡単な説明】
【００１７】
【図１】本発明の歯科用ＣＡＤＣＡＭ用被切削体の平面図
【図２】本発明の歯科用ＣＡＤＣＡＭ用被切削体の側面図
【図３】本発明の歯科用ＣＡＤＣＡＭ用被切削体に補助線等を加えた平面概略図
【図４】本発明の歯科用ＣＡＤＣＡＭ用被切削体に補助線等を加えた側面概略図
【図５】従来の歯科用ＣＡＤＣＡＭ用被切削体の平面図
【図６】従来の歯科用ＣＡＤＣＡＭ用被切削体の側面図
【符号の説明】
【００１８】
1  歯科用ＣＡＤＣＡＭ用被切削体
2  円周部に少なくとも一つの凹部
3  円周部のもう一つの凹部
4  全周に亘っていない凹部で無い部分
【図１】
2018015365.tif 000003
【図２】
2018015365.tif 000004
【図３】
2018015365.tif 000005
【図４】
2018015365.tif 000006
【図５】
2018015365.tif 000007
【図６】
2018015365.tif 000008
【手続補正書】
【提出日】平成28年11月1日(2016.11.1)
【手続補正１】
【補正対象書類名】特許請求の範囲
【補正対象項目名】全文
【補正方法】変更
【補正の内容】
【特許請求の範囲】
【請求項１】
ＣＡＤＣＡＭ装置に装着して歯科修復物を製造する歯科用ＣＡＤＣＡＭ用被切削体において、歯科用ＣＡＤＣＡＭ用被切削体が略円柱形状であり、
歯科用ＣＡＤＣＡＭ用被切削体の円周部に少なくとも一つの凹部を有し、凹部は歯科用ＣＡＤＣＡＭ用被切削体の全周に亘っておらず、
周方向の位置決めが可能な全周に亘っていない凹部で無い部分を有し、
歯科用ＣＡＤＣＡＭ用被切削体の凹部がＣＡＤＣＡＭ装置に係合することを特徴とする歯科用ＣＡＤＣＡＭ用被切削体。
【請求項２】
ＣＡＤＣＡＭ装置に装着して歯科修復物を製造する歯科用ＣＡＤＣＡＭ用被切削体において、歯科用ＣＡＤＣＡＭ用被切削体が略円柱形状であり、
歯科用ＣＡＤＣＡＭ用被切削体の円周部に、略円柱形状の天面および底面それぞれに対して一つの凹部を有し、凹部は歯科用ＣＡＤＣＡＭ用被切削体の全周に亘っておらず、
歯科用ＣＡＤＣＡＭ用被切削体の凹部がＣＡＤＣＡＭ装置に係合することを特徴とする歯科用ＣＡＤＣＡＭ用被切削体。
【請求項３】
ＣＡＤＣＡＭ装置に装着して歯科修復物を製造する歯科用ＣＡＤＣＡＭ用被切削体において、歯科用ＣＡＤＣＡＭ用被切削体が略円柱形状であり、円周部の凹部が略円柱形状の330度以上360度未満に亘って形成され、円周部の凹部が形成されていない略円柱形状の円弧は1-30ｍｍであることを特徴とする歯科用ＣＡＤＣＡＭ用被切削体。
【請求項４】
請求項１から３いずれかに記載の歯科用ＣＡＤＣＡＭ用被切削体において、円周部の凹部が軸方向に1-5ｍｍの幅で形成され、円周方向から軸に向けて1-5ｍｍの幅で形成されていることを特徴とする歯科用ＣＡＤＣＡＭ用被切削体。
【請求項５】
請求項１から３いずれかに記載の歯科用ＣＡＤＣＡＭ用被切削体において、略円柱形状の直径が5-15ｃｍ、高さが0.7-2ｃｍであることを特徴とする歯科用ＣＡＤＣＡＭ用被切削体。
【請求項６】
請求項１から３いずれかに記載の歯科用ＣＡＤＣＡＭ用被切削体が、焼結されていない或いは最終焼結されていないセラミック材料であることを特徴とする歯科用ＣＡＤＣＡＭ用被切削体。
【請求項７】
請求項６記載の歯科用ＣＡＤＣＡＭ用被切削体が、アルミナまたはジルコニアの成分が95％以上含まれているセラミック材料であることを特徴とする歯科用ＣＡＤＣＡＭ用被切削体。
【手続補正２】
【補正対象書類名】明細書
【補正対象項目名】０００５
【補正方法】変更
【補正の内容】
【０００５】
被切削体をＣＡＭに設置する場合に、周方向の位置決めができない為に、被切削体の切削されていない部分で歯科修復物を切削加工できる様に容易に設置することができなかった。
【手続補正３】
【補正対象書類名】明細書
【補正対象項目名】０００９
【補正方法】変更
【補正の内容】
【０００９】
歯科用ＣＡＤＣＡＭ用被切削体をＣＡＭに設置する場合に、周方向の位置決めができるようにすることで、被切削体の切削されていない部分で歯科修復物を切削加工できる様に設置することができる。
歯科用ＣＡＤＣＡＭ用被切削体をＣＡＭに設置する場合に、本発明の構成では、周方向の位置決めが可能な様にＣＡＭに設置することができ、他の方向には設置ができない為位置決めが可能となる。その結果、一度切削された歯科用ＣＡＤＣＡＭ用被切削体をＣＡＭの再装着した場合であっても、誤って他の方向に設置することがない。
【手続補正４】
【補正対象書類名】明細書
【補正対象項目名】００１４
【補正方法】変更
【補正の内容】
【００１４】
次に図面について説明する。
図１は本発明の歯科用ＣＡＤＣＡＭ用被切削体１を示し、略円柱の天面もしくは底面方向から見た図面である。円周部に凹部２を有し、凹部は全周に亘っておらず、図の上方には凹部を有しない部分４が示されている。歯科用ＣＡＤＣＡＭ用被切削体の円周部に、略円柱形状の天面および底面それぞれに対して一つの凹部を有している。その結果、周方向の位置決めが可能な様にＣＡＭに設置することができる。
図２は本発明の歯科用ＣＡＤＣＡＭ用被切削体を示し、略円柱の側面方向から見た図面である。円周部に凹部２、３が２箇所示されている。図１では示せなかった裏側の凹部３が見える。凹部は全周に亘っておらず、図の中心部で切れている。中央に凹部を有しない部分４が示されている。歯科用ＣＡＤＣＡＭ用被切削体の円周部に、略円柱形状の天面および底面それぞれに対して一つの凹部を有している為、図２では２箇所の凹部を確認することができる。
図３は図１の図面に補助線などを加えた図である。「円周部の凹部が形成されていない略円柱形状の円弧は1-20ｍｍとする。」「円周方向から軸に向けて1-5ｍｍとする。」「略円柱形状の直径が5-15ｃｍとする。」「円周部の凹部が330度以上に亘って形成する。」の具体的な位置を示した。